(57)【要約】【課題】短時間のうちに容易にヘッドとシャフトを分離・結合することができ、しかもシャフトの径が小さくてもこれを強固に結合することができる連結構造を備えたゴルフクラブを提供する。【解決手段】ヘッド２とシャフト７を分離可能に結合してなるゴルフクラブであって、シャフト差し込み穴４を設けたヘッド２のホーゼル部３とホーゼル部３にねじ込むキャップ９との間にスリーブ１３を挟み込み、ホーゼル部３にキャップ９をねじ込んだときにスリーブ１３が変形することによりシャフト７を締付け固定する。シャフト差し込み穴４の内面とこれに差し込むシャフト７との間には隙間を埋めるべくスペーサー８を介装する。【選択図】図２
0003132153.tif 000002
【実用新案登録請求の範囲】
【請求項１】
ヘッドとシャフトを分離可能に結合してなるゴルフクラブであって、シャフト差し込み穴を設けたヘッドのホーゼル部と前記ホーゼル部にねじ込むキャップとの間に結合部品を挟み込み、前記ホーゼル部に前記キャップをねじ込んだときに前記結合部品が変形することによりシャフトを締付け固定することを特徴とするゴルフクラブ。
【請求項２】
請求項１記載のゴルフクラブにおいて、
結合部品は、スリーブであることを特徴とするゴルフクラブ。
【請求項３】
請求項１または２記載のゴルフクラブにおいて、
シャフト差し込み穴の内面と前記シャフト差し込み穴に差し込むシャフトとの隙間を埋めるスペーサーを有することを特徴するゴルフクラブ。
【請求項４】
請求項１または２記載のゴルフクラブにおいて、
キャップは、ホーゼル部の雄ねじと螺合する雌ねじを有するとともに、前記ホーゼル部との間に結合部品を挟み込んでねじ込み時に前記結合部品を変形させる押圧部を内面部に有することを特徴とするゴルフクラブ。
【請求項５】
請求項１または２記載のゴルフクラブにおいて、
キャップを工具で回転させることができるよう、キャップの外面部は少なくとも一部が角形状とされていることを特徴とするゴルフクラブ。
【請求項６】
請求項４記載のゴルフクラブにおいて、
キャップの押圧部には、結合部品をシャフトへ向けて変形させ易くするための外高形状のテーパー面が設けられていることを特徴とするゴルフクラブ。
【請求項７】
請求項１または２記載のゴルフクラブにおいて、
ホーゼル部におけるシャフト差し込み穴の開口周縁部には、結合部品をシャフトへ向けて変形させ易くするための外高形状のテーパー面が設けられていることを特徴とするゴルフクラブ。
【請求項８】
請求項１または２記載のゴルフクラブにおいて、
結合部品は、ホーゼル部およびキャップ間に挟圧されたときに塑性変形する材質よりなり、かつその軸方向端部には、当該結合部品をシャフトへ向けて変形させ易くするための内高形状のテーパー面が設けられていることを特徴とするゴルフクラブ。
【請求項９】
請求項１または２記載のゴルフクラブにおいて、
結合部品は、ホーゼル部およびキャップ間に挟圧されたときに塑性変形する材質よりなり、かつその軸方向端部には、当該結合部品をシャフトへ向けて変形させ易くするための球状面が設けられていることを特徴とするゴルフクラブ。
【請求項１０】
請求項１ないし９の何れかに記載のゴルフクラブにおいて、
当該ゴルフクラブは、試打用クラブであることを特徴とするゴルフクラブ。
【考案の詳細な説明】
【技術分野】
【０００１】
本考案は、ゴルフクラブに係り、更に詳しくは、ヘッドとシャフトを分離可能に結合してなるゴルフクラブに関するものである。
【背景技術】
【０００２】
従来のゴルフクラブは、ヘッドとシャフトを接着剤を用いて結合しており、よって一旦結合した後は分離しないことを原則としている。また、敢えて分離する場合には、強固な接着部位を剥離させることになるので、その作業に特別の技術や専用の機材を必要とし、また長時間を必要としている。
【０００３】
一方、近年におけるゴルフクラブの性能の多様化に伴って、ゴルファーは既製品にとらわれることなく、自分の体型や技量に応じたヘッドとシャフトの組み合わせを求めるようになってきており、多種類のヘッド・シャフトのなかから最適の組み合わせを選択すべく、ヘッドとシャフトを容易に分離・結合することができれば極めて便利である。
【０００４】
そこで、ヘッドとシャフトを短時間で容易に分離・結合するゴルフクラブヘッドとして従来、下記特許文献１に掲載されたものが提案されている。
【０００５】
しかしながら、この特許文献１に掲載された従来技術では、ヘッドのホーゼル部に設けたスリットの開閉によりシャフトを固定する構造であるため、特定のヘッドに結合することができるシャフトの径がホーゼル部の内径に応じて狭い範囲に限定されてしまい、よって径の小さなシャフトを結合することができないと云う不都合がある。
【０００６】
【特許文献１】特開２００６−０３４９０６号公報
【考案の開示】
【考案が解決しようとする課題】
【０００７】
本考案は以上の点に鑑みて、短時間のうちに容易にヘッドとシャフトを分離・結合することができ、しかもシャフトの径が多少小さくてもこれを強固に結合することができる連結構造を備えたゴルフクラブを提供することを目的とする。
【課題を解決するための手段】
【０００８】
上記目的を達成するため、本考案の請求項１によるゴルフクラブは、ヘッドとシャフトを分離可能に結合してなるゴルフクラブであって、シャフト差し込み穴を設けたヘッドのホーゼル部と前記ホーゼル部にねじ込むキャップとの間に結合部品を挟み込み、前記ホーゼル部に前記キャップをねじ込んだときに前記結合部品が変形することによりシャフトを締付け固定することを特徴とするものである。
【０００９】
また、本考案の請求項２によるゴルフクラブは、上記した請求項１記載のゴルフクラブにおいて、結合部品は、スリーブであることを特徴とするものである。
また、本考案の請求項３によるゴルフクラブは、上記した請求項１または２記載のゴルフクラブにおいて、シャフト差し込み穴の内面と前記シャフト差し込み穴に差し込むシャフトとの隙間を埋めるスペーサーを有することを特徴するものである。
【００１０】
また、本考案の請求項４によるゴルフクラブは、上記した請求項１または２記載のゴルフクラブにおいて、キャップは、ホーゼル部の雄ねじと螺合する雌ねじを有するとともに、前記ホーゼル部との間に結合部品を挟み込んでねじ込み時に前記結合部品を変形させる押圧部を内面部に有することを特徴とするものである。
【００１１】
また、本考案の請求項５によるゴルフクラブは、上記した請求項１または２記載のゴルフクラブにおいて、キャップを工具で回転させることができるよう、キャップの外面部は少なくとも一部が角形状とされていることを特徴とするものである。
【００１２】
また、本考案の請求項６によるゴルフクラブは、上記した請求項４記載のゴルフクラブにおいて、キャップの押圧部には、結合部品をシャフトへ向けて変形させ易くするための外高形状のテーパー面が設けられていることを特徴とするものである。
【００１３】
また、本考案の請求項７によるゴルフクラブは、上記した請求項１または２記載のゴルフクラブにおいて、ホーゼル部におけるシャフト差し込み穴の開口周縁部には、結合部品をシャフトへ向けて変形させ易くするための外高形状のテーパー面が設けられていることを特徴とするものである。
【００１４】
また、本考案の請求項８によるゴルフクラブは、上記した請求項１または２記載のゴルフクラブにおいて、結合部品は、ホーゼル部およびキャップ間に挟圧されたときに塑性変形する材質よりなり、かつその軸方向端部には、当該結合部品をシャフトへ向けて変形させ易くするための内高形状のテーパー面が設けられていることを特徴とするものである。
【００１５】
また、本考案の請求項９によるゴルフクラブは、上記した請求項１または２記載のゴルフクラブにおいて、結合部品は、ホーゼル部およびキャップ間に挟圧されたときに塑性変形する材質よりなり、かつその軸方向端部には、当該結合部品をシャフトへ向けて変形させ易くするための球状面が設けられていることを特徴とするものである。
【００１６】
更にまた、本考案の請求項１０によるゴルフクラブは、上記した請求項１ないし９の何れかに記載のゴルフクラブにおいて、当該ゴルフクラブは、試打用クラブであることを特徴とするものである。
【００１７】
上記従来技術において、特定のヘッドに結合することができるシャフトの径が限定されてしまっていたのは、ヘッドの一部であるホーゼル部によってシャフトを直接締め付けていたからであり、これに対して、ヘッドと別体の結合部品を用いてシャフトを締め付けるようにすれば、別体の結合部品としては任意の大きさのものを使用できることから、シャフトの径が小さくてもシャフトを強固に結合することが可能となる。このような観点から本考案では、シャフト差し込み穴を設けたヘッドのホーゼル部とホーゼル部にねじ込むキャップとの間に結合部品を挟み込み、ホーゼル部にキャップをねじ込んだときに結合部品が変形することによりシャフトを締付け固定することにした。結合部品としては、複数の部品をシャフトの周囲に配置してこれらの複数の結合部品によってシャフトを締め付けるようにしても良いが、円筒状のスリーブを用いてこれをシャフトに外挿することにより、部品点数を最小限とし、かつシャフトを全周囲に亙って締め付けることが可能となる。キャップは、ねじ込み式であることから脱着が可能であり、ヘッドとシャフトを自在に分離・結合することができる。シャフトの径が小さく、よってシャフト差し込み穴の内面とシャフト差し込み穴に差し込むシャフトとの間に隙間が形成される場合には、隙間を埋めるべく両者の間にスペーサーを介装する。
【００１８】
ヘッドと別体の結合部品は、ヘッドのホーゼル部の上方にこれを配置し、キャップでホーゼル部に押し付けることによりこれを変形させる。このためキャップは、ホーゼル部の雄ねじと螺合する雌ねじを有するとともに、ホーゼル部との間に結合部品を挟み込んでねじ込み時に結合部品を変形させる押圧部を内面部に有するものとし、このような構造のキャップをホーゼル部にねじ込むことにより結合部品を変形させる。キャップはこれを工具で回転させることができるよう外面部の少なくとも一部に角形状を設けるのが好ましい。また、キャップの押圧部に外高形状のテーパー面を設けたり、ホーゼル部におけるシャフト差し込み穴の開口周縁部に外高形状のテーパー面を設けたりすると、結合部品がシャフトへ向けて変形し易くなる。尚、ここに外高形状のテーパー面とは、面の傾斜勾配がシャフトから離れるのにしたがって徐々に高くなっているものを云い、このような形状のテーパー面によれば挟圧時に内向きの荷重モーメントが作用することから、結合部品が縮径方向すなわちシャフトへ向けて変形し易くなる。
【００１９】
また、結合部品としては、強度確保の観点から、ホーゼル部およびキャップ間に挟圧されたときに塑性変形する材質であることが好ましく、具体的には金属または樹脂とするのが好ましい。また、この結合部品側にテーパー面を設けることにより結合部品をシャフトへ向けて変形させ易くすることも考えられ、この場合にはテーパー面は受け面であることから、上記とは反対向きの内高形状とする。尚、ここに内高形状のテーパー面とは、面の傾斜勾配がシャフトに近付くのにしたがって徐々に高くなっているものを云う。更にまた、テーパー面に代えて球状面を形成しても同様の作用効果を得ることが可能である。
【００２０】
また、本考案のゴルフクラブは、ゴルファーが自分にとって最適のヘッドとシャフトの組み合わせを選択するときに使用する試打用のクラブとして用いられるのに適しており、当該連結構造によって組み合わされる複数種類のヘッドとシャフトを用意して分離・結合を繰り返すことにより、様々な組み合わせパターンにて試し打ちを行なうことが可能となる。
【考案の効果】
【００２１】
以上説明したように本考案によれば、キャップをねじ込んでゆくと結合部品が変形してシャフトを締付け固定するので、ヘッドとシャフトを結合することができ、キャップのねじ込みを緩めるとシャフトをヘッドから引き抜くことによりヘッドとシャフトを分離することができる。変形した結合部品は、いびつに変形してしまうまでは再利用が可能である（勿論、使い捨ても可）。また、ヘッドと別体の結合部品を用いてシャフトを締付け固定するようにしたために、スリーブとしては任意の大きさのものを使用できることから、シャフトの径が小さくてもシャフトを強固に結合することができる。したがって本考案所期の目的どおり、短時間のうちに容易にヘッドとシャフトを分離・結合することができ、しかもシャフトの径が多少小さくてもこれを強固に結合することができる連結構造を備えたゴルフクラブを提供することができる。
【００２２】
また、結合部品として円筒状のスリーブを用いる場合には、部品点数が最小限になるとともにシャフトを全周囲に亙って締め付けるので、シャフトを強固に結合することができる。シャフト差し込み穴の内面とシャフト差し込み穴に差し込むシャフトとの間にスペーサーを介装する場合には、隙間がなくなるので、ヘッドとシャフトのガタツキをなくし、ヘッドホーゼル部とシャフトの同軸度を確保することができる。キャップには押圧部が設けられているので、ホーゼル部との間に結合部品を挟み込んでこれを変形させることができ、キャップの押圧部やホーゼル部におけるシャフト差し込み穴の開口周縁部に外高形状のテーパー面を設ける場合には、結合部品がシャフトへ向けて変形し易くなるので、シャフトを強固に結合することができる。キャップの外面部に角形状を設けておけば、キャップをスパナ等の工具で回転させ易い。また、結合部品として、ホーゼル部およびキャップ間に挟圧されたときに塑性変形する材質を用いることにより十分な結合強度を確保することができ、結合部品の軸方向端部に内高形状のテーパー面や球状面を設ける場合には、当該結合部品がシャフトへ向けて変形し易くなるので、シャフトを強固に結合することができる。また、ヘッド・シャフトを短時間のうちに容易に分離・結合できるクラブは上記したように、試打用クラブとして用いるのに適している。
【考案を実施するための最良の形態】
【００２３】
つぎに本考案の実施例を図面にしたがって説明する。
【００２４】
図１は、本考案の実施例に係るゴルフクラブの要部断面を示している。また、図２は図１の一部拡大図である。
【００２５】
図１に示すように、当該実施例に係るゴルフクラブ１は、ヘッド２とシャフト７を分離可能に結合たものであって、図２に示すように、シャフト差し込み穴４を設けたヘッド２のホーゼル部３とホーゼル部３にねじ込むキャップ９との間に結合部品として円筒状のスリーブ１３を挟み込み、ホーゼル部３にキャップ９をねじ込んだときにスリーブ１３が変形することによりシャフト７を締付け固定する構成とされている。
【００２６】
各部品の詳細は、以下のとおりとされている。
【００２７】
すなわち先ず、ヘッド２にはその一部としてホーゼル部３が設けられており、このホーゼル部３にシャフト差し込み穴４が設けられるとともにホーゼル部３の外面に雄ねじ５が設けられている。尚、図１は、ヘッド２としてウッドヘッドを示しているが、アイアンヘッドやパターヘッドであっても良い。
【００２８】
シャフト差し込み穴４の内面とこれに差し込まれるシャフト７との間に、両者間の隙間を埋めるべくスペーサー（補填材）８が介装されている。このスペーサー８は、金属または樹脂よりなる円筒状の部品をシャフト７に外挿したものであるが、シート状のものをシャフト７に巻き付けるようにしても良い。
【００２９】
キャップ９は、シャフト７に外挿されるよう筒状に形成されており、その下端部内面に上記雄ねじ５と螺合する雌ねじ１０が設けられている。また上端部の内面には、ホーゼル部３との間にスリーブ１３を挟み込んでねじ込み時にスリーブ１３を変形させる押圧部１１が設けられている。押圧部１１は環状であってシャフト７の周りに全周に亙って設けられている。またこの押圧部１１には、スリーブ１３をシャフト７へ向けて変形させ易くするための外高形状のテーパー面１２が設けられており、一方、上記ホーゼル部３におけるシャフト差し込み穴４の開口周縁部にも、スリーブ１３をシャフト７へ向けて変形させ易くするための外高形状のテーパー面６が設けられている。また、キャップ９を工具で回転させることができるようキャップ９の外面部は少なくとも一部が角形状（図示せず）とされており、具体的には、スパナで回せる六角形状とされている。
【００３０】
スリーブ１３は、ホーゼル部３およびキャップ９間に挟圧されたときに塑性変形するよう、延性をもった金属または樹脂により成形されており、またその軸方向両端部にそれぞれ、当該スリーブ１３をシャフト７へ向けて変形させ易くするための球状面１４が設けられている。球状面１４はこれに代えて、内高形状のテーパー面であっても良い。また当該実施例では、スリーブ１３全体がビヤ樽状（但し、その端面部にはシャフト７を貫挿するための貫通孔が開口している）に形成されているので、その外周面は軸方向一端部から他端部へかけて断面円弧状に形成されている。したがって、上記球状面１４はこの円弧面の一部として形成されている。
【００３１】
つぎに、上記構成のゴルフクラブ１の取り扱いを説明すると、結合・分離の手順は以下のとおりとされている。
【００３２】
すなわち先ず、ヘッド２とシャフト７を結合するに際しては、シャフト７にキャップ９、スリーブ１３およびスペーサー８をこの順序で取り付け、シャフト７をホーゼル部３のシャフト差し込み穴４に挿入する。次いで、キャップ９の雌ねじ１０をホーゼル部３の雄ねじ５に螺合して締め付けてゆくと、スリーブ１３がキャップ９の押圧部１１とホーゼル部３間で挟圧されて球状面１４およびテーパー面６，１２が互いに密接するので、スリーブ１３が変形してシャフト７およびヘッド２に密着する。したがって、スリーブ１３を介してヘッド２とシャフト７が強固に結合されることになる。また、ヘッド２とシャフト７を分離するに際しては、キャップ９の締め付けを緩めてキャップ９をホーゼル部３から外し、次いでシャフト７をシャフト差し込み穴４から引き抜くことにより、シャフト７をキャップ９、スリーブ１３およびスペーサー８とともにヘッド２から取り外すことができる。
【００３３】
したがって、以上のゴルフクラブ１によれば、キャップ９をねじ込んでゆくとスリーブ１３が変形してシャフト７を締付け固定するので、ヘッド２とシャフト７を結合することができ、キャップ９のねじ込みを緩めるとシャフト７をヘッド２から引き抜くことによりヘッド２とシャフト７を分離することができる。またヘッド２と別体のスリーブ１３を用いてシャフト７を締付け固定するようにしたために、スリーブ７として任意の大きさのものを使用することができ、よってシャフト７の径が小さくてもシャフト７を強固に結合することができる。したがって上記したとおり、短時間のうちに容易にヘッド２とシャフト７を分離・結合することができ、しかもシャフト７の径が多少小さくてもこれを強固に結合することができる連結構造を備えたゴルフクラブ１が提供されることになる。
【図面の簡単な説明】
【００３４】
【図１】本考案の実施例に係るゴルフクラブの要部断面図
【図２】図１の一部拡大図
【符号の説明】
【００３５】
１  ゴルフクラブ
２  ヘッド
３  ホーゼル部
４  シャフト差し込み穴
５  雄ねじ
６，１２  テーパー面
７  シャフト
８  スペーサー
９  キャップ
１０  雌ねじ
１１  押圧部
１３  スリーブ（結合部品）
１４  球状面
【図１】
0003132153.tif 000003
【図２】
0003132153.tif 000004